(57)【要約】【課題】遊技装置を移って遊技を可能にするとともに、移動先が決まらない場合に元の遊技装置に戻り得ることを保証する。【解決手段】移動元の遊技装置は、移動要求と暗証番号入力されると、遊技媒体の獲得数と暗証番号を含む移動情報を管理装置へ出力し、自装置を遊技禁止状態にする。移動先の遊技装置は、再開要求と暗証番号が入力されると、これを管理装置へ送信する。管理装置は暗証番号が一致すれば、移動元での獲得数に相当する数の遊技媒体を移動先の遊技装置で利用可能にし、かつ移動元の遊技装置の遊技禁止を解除する。【選択図】図１
2004248787.tif 000002
【特許請求の範囲】
【請求項１】
遊技媒体を用いて遊技する遊技機と、この遊技機で利用される遊技媒体を貸し出す遊技媒体貸機と、この遊技機で遊技者が獲得した遊技媒体の獲得数を遊技終了時に計数する遊技媒体計数器とを有する遊技装置において、
前記遊技媒体計数器が計数した獲得数の遊技媒体を他の遊技装置で利用するための移動要求の入力と他の遊技装置で遊技者の同一性を確認するための確認情報の設定を遊技者から受け付ける移動要求受付手段と、
前記移動要求と前記確認情報の受付が完了したとき、遊技媒体を他の遊技装置で利用可能とするための情報であって少なくとも前記獲得数と前記確認情報を含む移動情報を外部へ出力する移動情報出力手段と、
前記移動要求と前記確認情報の受付が完了した後、所定の解除条件が満足されるまで、当該遊技装置での遊技を禁止する遊技禁止手段と、
を有することを特徴とする遊技装置。
【請求項２】
前記遊技禁止手段は、前記移動情報に基づく遊技媒体を同一の遊技者が移動先の遊技装置で利用可能になったとき、遊技の禁止を解除する
ことを特徴とする請求項１に記載の遊技装置。
【請求項３】
他の遊技装置で入力された移動要求にかかわる遊技媒体を利用して遊技する旨を表した遊技再開要求の入力と遊技者の同一性を確認するための確認情報の入力を受け付ける再開要求受付手段と、
前記再開要求受付手段が受け付けた確認情報と他の遊技装置が出力した前記移動情報に含まれる確認情報とが合致するとき、前記移動情報に含まれている獲得数の遊技媒体を遊技に利用可能にする遊技再開手段と
をさらに有する
ことを特徴とする請求項１または２に記載の遊技装置。
【請求項４】
遊技媒体を用いて遊技する遊技機と、この遊技機で利用される遊技媒体を貸し出す遊技媒体貸機と、この遊技機で遊技者が獲得した遊技媒体の獲得数を遊技終了時に計数する遊技媒体計数器とを有する複数の遊技装置と、これらの遊技装置を管理制御する管理装置とを備え、移動元の遊技装置の前記遊技媒体計数器が計数した獲得数の遊技媒体を移動先の遊技装置で利用可能な遊技場管理システムにおいて、
前記遊技装置は、移動要求受付手段と、移動情報出力手段と、遊技禁止手段と、再開要求受付手段と、遊技再開手段とを有し、
前記管理装置は、記憶手段と、照合手段と、送信手段とを有し、
移動元となる遊技装置では、前記移動要求受付手段が、遊技媒体計数器の計数した獲得数の遊技媒体を他の遊技装置で利用するための移動要求の入力と他の遊技装置で遊技者の同一性を確認するための確認情報の設定を遊技者から受け付け、前記移動情報出力手段が、遊技媒体を他の遊技装置で利用可能にするための情報であって少なくとも前記獲得数と前記確認情報を含む移動情報を前記管理装置へ出力し、かつ前記遊技禁止手段が、当該遊技装置での遊技を所定の解除条件が満足されるまで禁止し、
前記管理装置では、前記移動情報を受信して、これを前記記憶手段が記憶し、
移動先となる遊技装置では、前記再開要求受付手段が、移動要求にかかわる遊技媒体を利用して遊技する旨を表した遊技再開要求の入力と遊技者の同一性を確認するための確認情報の入力を受け付け、前記再開要求出力手段が、前記再開要求受付手段の受け付けた前記確認情報を含む再開情報を前記管理装置へ出力し、
前記管理装置では、前記再開情報を受信し、前記照合手段が、前記再開情報の確認情報と前記記憶手段に記憶されている移動情報の確認情報とを照合して遊技再開の可否を判定し、かつ前記送信手段が、前記判定結果を含む判定情報であって、前記判定結果が遊技再開の許可を示すときは、照合された移動情報が示す獲得数をさらに含むものを前記移動先の遊技装置に送信し、
前記移動先の遊技装置では、受信した判定情報が遊技再開を許可するものの場合に、遊技再開手段が、前記判定情報に含まれる獲得数の遊技媒体を遊技に利用可能にする
ことを特徴とする遊技場管理システム。
【請求項５】
前記移動元の遊技装置は、設定された確認情報が前記管理装置にすでに記憶されている他の移動情報の確認情報と重複するか否かを前記管理装置に問い合わせる
ことを特徴とする請求項４に記載の遊技場管理システム。
【請求項６】
前記管理装置は、前記照合手段の判定結果が遊技再開を許可するものであるとき、照合のとれた移動情報の送信元の遊技装置へ、遊技禁止の解除を示す解除指令を送信し、
前記遊技装置の遊技禁止手段は、前記解除指令の受信に基づいて遊技の禁止を解除する
ことを特徴とする請求項４に記載の遊技場管理システム。
【請求項７】
前記移動情報は、移動元の遊技装置を一意に特定するための遊技装置特定情報をさらに含むことを特徴とする請求項６に記載の遊技場管理システム。
【発明の詳細な説明】
【０００１】
【発明の属する技術分野】
本発明は、遊技機と、この遊技機で利用される遊技媒体を貸し出す遊技媒体貸機と、この遊技機で遊技者が獲得した遊技媒体の獲得数を遊技終了時に計数する遊技媒体計数器とを有する遊技装置またはこのような遊技装置を複数台とこれらを管理制御する管理装置とを備えた遊技場管理システムに関する。
【０００２】
【従来の技術】
パチンコ・スロットマシンなどの遊技装置で遊技する遊技者は、遊技の状況が思わしくないなどの理由から、遊技の途中で、別の遊技装置での遊技を希望する場合がある。このとき、それまでの遊技結果を引きついで他の遊技装置への移動を可能にした遊技場管理システムがある。
【０００３】
たとえば、台移動スイッチを操作すると、貯溜部に貯溜されている遊技媒体を計数手段が計数してその結果を表示部に表示するとともに、任意の遊技装置での遊技を可能にするための台移動情報を記録した記録媒体が発行される。移動先の遊技装置では、先の記録媒体が挿入されると、これに記録されている台移動情報を読み取る。そして、遊技を許可する場合には、記録媒体に記録されている遊技媒体の個数を表示器に表示し、この遊技媒体を用いて遊技可能な状態を形成するようになっている（特許文献１参照）。
【０００４】
【特許文献１】
特開平１１−２６７３３１号公報
【０００５】
【発明が解決しようとする課題】
しかしながら、前述した従来の遊技場管理システムでは、遊技者が台移動を希望して台移動情報の記録された記録媒体が発行されると、移動元は次の遊技者が自由に使用できる状態になる。このため、遊技者が適当な移動先を決められずに元の遊技装置へ戻ってきたときには既に他の遊技者が元の遊技装置で遊技を行っているケースが生じ、台移動を希望した遊技者に不便をかけて不愉快な思いをさせてしまう場合があった。
【０００６】
また、遊技店においては、記録媒体を使用しなければ遊技者に台移動サービスを提供できないため、費用が嵩むという問題点があった。
【０００７】
本発明は、以上のような従来技術が有する問題点に着目してなされたもので、移動先が決まらない場合に元の遊技装置に戻って遊技を再開することが保証され、また台移動サービスの運用費用を少なく抑えることのできる遊技装置および遊技場管理システムを提供することを目的としている。
【０００８】
【課題を解決するための手段】
かかる目的を達成するための本発明の要旨とするところは、次の各項の発明に存する。
［１］遊技媒体を用いて遊技する遊技機（１０１）と、この遊技機（１０１）で利用される遊技媒体を貸し出す遊技媒体貸機（１０２）と、この遊技機（１０１）で遊技者が獲得した遊技媒体の獲得数を遊技終了時に計数する遊技媒体計数器（１０３）とを有する遊技装置（１００）において、
前記遊技媒体計数器（１０３）が計数した獲得数の遊技媒体を他の遊技装置（１００）で利用するための移動要求の入力と他の遊技装置（１００）で遊技者の同一性を確認するための確認情報の設定を遊技者から受け付ける移動要求受付手段と、
前記移動要求と前記確認情報の受付が完了したとき、遊技媒体を他の遊技装置（１００）で利用可能とするための情報であって少なくとも前記獲得数と前記確認情報を含む移動情報を外部へ出力する移動情報出力手段と、
前記移動要求と前記確認情報の受付が完了した後、所定の解除条件が満足されるまで、当該遊技装置（１００）での遊技を禁止する遊技禁止手段と、
を有することを特徴とする遊技装置（１００）。
【０００９】
［２］前記遊技禁止手段は、前記移動情報に基づく遊技媒体を同一の遊技者が移動先の遊技装置で利用可能になったとき、遊技の禁止を解除する
ことを特徴とする［１］に記載の遊技装置（１００）。
【００１０】
［３］他の遊技装置（１００）で入力された移動要求にかかわる遊技媒体を利用して遊技する旨を表した遊技再開要求の入力と遊技者の同一性を確認するための確認情報の入力を受け付ける再開要求受付手段と、
前記再開要求受付手段が受け付けた確認情報と他の遊技装置（１００）が出力した前記移動情報に含まれる確認情報とが合致するとき、前記移動情報に含まれている獲得数の遊技媒体を遊技に利用可能にする遊技再開手段と
をさらに有する
ことを特徴とする［１］または［２］に記載の遊技装置（１００）。
【００１１】
［４］遊技媒体を用いて遊技する遊技機（１０１）と、この遊技機（１０１）で利用される遊技媒体を貸し出す遊技媒体貸機（１０２）と、この遊技機（１０１）で遊技者が獲得した遊技媒体の獲得数を遊技終了時に計数する遊技媒体計数器（１０３）とを有する複数の遊技装置（１００）と、これらの遊技装置（１００）を管理制御する管理装置（３００）とを備え、移動元の遊技装置（１００）の前記遊技媒体計数器（１０３）が計数した獲得数の遊技媒体を移動先の遊技装置で利用可能な遊技場管理システムにおいて、
前記遊技装置（１００）は、移動要求受付手段と、移動情報出力手段と、遊技禁止手段と、再開要求受付手段と、遊技再開手段とを有し、
前記管理装置（３００）は、記憶手段と、照合手段と、送信手段とを有し、
移動元となる遊技装置（１００ｓ）では、前記移動要求受付手段が、遊技媒体計数器（１０３）の計数した獲得数の遊技媒体を他の遊技装置（１００ｄ）で利用するための移動要求の入力と他の遊技装置（１００ｄ）で遊技者の同一性を確認するための確認情報の設定を遊技者から受け付け、前記移動情報出力手段が、遊技媒体を他の遊技装置（１００ｄ）で利用可能にするための情報であって少なくとも前記獲得数と前記確認情報を含む移動情報を前記管理装置（３００）へ出力し、かつ前記遊技禁止手段が、当該遊技装置（１００ｓ）での遊技を所定の解除条件が満足されるまで禁止し、
前記管理装置（３００）では、前記移動情報を受信して、これを前記記憶手段が記憶し、
移動先となる遊技装置（１００ｄ）では、前記再開要求受付手段が、移動要求にかかわる遊技媒体を利用して遊技する旨を表した遊技再開要求の入力と遊技者の同一性を確認するための確認情報の入力を受け付け、前記再開要求出力手段が、前記再開要求受付手段の受け付けた前記確認情報を含む再開情報を前記管理装置（３００）へ出力し、
前記管理装置（３００）では、前記再開情報を受信し、前記照合手段が、前記再開情報の確認情報と前記記憶手段に記憶されている移動情報の確認情報とを照合して遊技再開の可否を判定し、かつ前記送信手段が、前記判定結果を含む判定情報であって、前記判定結果が遊技再開の許可を示すときは、照合された移動情報が示す獲得数をさらに含むものを前記移動先の遊技装置に送信し、
前記移動先の遊技装置（１００ｄ）では、受信した判定情報が遊技再開を許可するものの場合に、遊技再開手段が、前記判定情報に含まれる獲得数の遊技媒体を遊技に利用可能にする
ことを特徴とする遊技場管理システム。
【００１２】
［５］前記移動元の遊技装置（１００ｓ）は、設定された確認情報が前記管理装置（３００）にすでに記憶されている他の移動情報の確認情報と重複するか否かを前記管理装置（３００）に問い合わせる
ことを特徴とする［４］に記載の遊技場管理システム。
【００１３】
［６］前記管理装置（３００）は、前記照合手段の判定結果が遊技再開を許可するものであるとき、照合のとれた移動情報の送信元の遊技装置（１００ｓ）へ、遊技禁止の解除を示す解除指令を送信し、
前記遊技装置（１００ｓ）の遊技禁止手段は、前記解除指令の受信に基づいて遊技の禁止を解除する
ことを特徴とする［４］に記載の遊技場管理システム。
【００１４】
［７］前記移動情報は、移動元の遊技装置（１００）を一意に特定するための遊技装置特定情報をさらに含むことを特徴とする［６］に記載の遊技場管理システム。
【００１５】
前記本発明は次のように作用する。
遊技装置（１００）は、遊技機（１０１）と、遊技媒体貸機（１０２）と、遊技媒体計数器（１０３）とを備えたものである。遊技装置（１００）の有する移動要求受付手段は、遊技媒体計数器（１０３）が計数した獲得数の遊技媒体を他の遊技装置（１００）で利用するための移動要求の入力と他の遊技装置（１００）で遊技者の同一性を確認するための確認情報の設定を遊技者から受け付ける。たとえば、確認情報として複数桁の暗証番号の設定を受け付ける。
【００１６】
移動要求と確認情報の受付が完了すると、移動情報出力手段は、遊技媒体を他の遊技装置（１００ｄ）で利用可能とするための情報であって少なくとも獲得数と確認情報を含む移動情報を外部へ出力する。この出力は、記録媒体として出力しても、通信ネットワークを通じて遊技場の管理装置、あるいは当該遊技場に設置された他のすべての遊技装置（１００）に対して送信してもよい。遊技装置（１００ｓ）の禁止手段は、移動要求と確認情報の受付が完了した後、所定の解除条件が満足されるまで、当該遊技装置（１００ｓ）での遊技を禁止する。たとえば、３０分を限度に禁止するなど、時間を限定してもよいし、移動要求を行った遊技者が解除の許可を出したとき、遊技の禁止を解除するように構成してもよい。
【００１７】
このように、移動要求の受付完了後に、当該遊技装置（１００ｓ）での遊技を禁止するので、移動先の遊技装置（１００ｄ）が見つからなかった場合にも、所定の解除条件が満足するまでの間であれば、元の遊技装置（１００ｓ）に戻り得ることが保証され、遊技者は安心して移動を試みることができる。
【００１８】
遊技禁止手段が、移動情報に基づく遊技媒体を同一の遊技者が移動先の遊技装置で利用可能になったとき、遊技の禁止を解除するものでは、適当な移動先が見つからない間はいつでも元の遊技装置（１００ｓ）へ戻ることが保証される。また利用可能となった時点で禁止が解除されるので、無駄に禁止状態が継続することを防止することができる。
【００１９】
一方、移動先となる遊技装置（１００ｄ）では、他の遊技装置（１００ｓ）で入力された移動要求にかかわる遊技媒体を利用して遊技する旨を表した遊技再開要求の入力と、遊技者の同一性を確認するための確認情報の入力とを再開要求受付手段が受け付ける。そして、再開要求受付手段が受け付けた確認情報と他の遊技装置（１００ｓ）が出力した移動情報に含まれる確認情報とが合致するとき、遊技再開手段は、この移動情報に含まれている獲得数の遊技媒体を遊技に利用可能にする。
【００２０】
上記遊技装置（１００）を複数と、これらの遊技装置（１００）を管理制御する管理装置（３００）とを備え、移動元の遊技装置（１００ｓ）の前記遊技媒体計数器（１０３）が計数した獲得数の遊技媒体を移動先の遊技装置で利用可能な遊技場管理システムでは、以下のように移動にかかわる動作が行われる。
【００２１】
すなわち、移動元となる遊技装置（１００ｓ）では、移動要求受付手段が、移動要求の入力と確認情報の設定を受け付けると、移動情報出力手段が、遊技終了時における遊技媒体の獲得数と確認情報を含む移動情報を管理装置（３００）へ出力する。さらに遊技禁止手段が、当該遊技装置（１００ｓ）での遊技を所定の解除条件が満足されるまで禁止する。管理装置（３００）は、移動情報を受信し、これを記憶手段に記憶する。
【００２２】
移動先となる遊技装置（１００ｄ）では、再開要求受付手段が、遊技再開要求と確認情報の入力を受け付けると、再開要求出力手段が、この確認情報を含む再開情報を管理装置（３００）へ出力する。管理装置（３００）は、再開情報を受信し、この再開情報の確認情報と記憶手段に記憶されている移動情報の確認情報とを照合して遊技再開の可否を判定する。そして、この判定結果と、これが遊技再開の許可を示す場合には、照合された移動情報が示す獲得数をさらに含む判定情報を、移動先の遊技装置（１００ｄ）に送信する。
【００２３】
移動先の遊技装置（１００ｄ）では、受信した判定情報が遊技再開を許可する場合には、遊技再開手段が、この判定情報に含まれる獲得数の遊技媒体を遊技に利用可能にする。
【００２４】
このように、移動元からの移動情報や移動先からの再開情報を管理装置（３００）に集約し、確認情報の照合や遊技再開許可の送出を管理装置（３００）が一括して行うので、多数の遊技装置（１００）を効率よく管理することができる。また管理装置（３００）を通じて移動にかかわる情報を管理するので、移動にかかわる情報を記録媒体に記録して遊技者に渡す必要がなく、運用費用を少なく抑えることが可能になる。
【００２５】
移動元の遊技装置（１００）が、確認情報の重複有無を管理装置（３００）に問い合わせるものでは、遊技媒体が誤って他の遊技者に付与されることを防止することができ、移動にかかわる安全性を高めることができる。
【００２６】
移動先の遊技装置（１００ｄ）へ遊技再開を許可した際に、照合のとれた移動情報の送信元の遊技装置（１００ｓ）へ、遊技禁止の解除指令を送信するものでは、移動の完了に伴って移動元の遊技装置（１００ｓ）の遊技禁止が解除される。これにより適当な移動先が見つからない間はいつでも移動元の遊技装置（１００ｓ）へ戻ることが保証される。また利用可能となった時点で禁止が解除されるので、無駄に禁止状態が継続することを防止することができる。
【００２７】
移動情報が、移動元の遊技装置（１００ｓ）を一意に特定するための遊技装置特定情報をさらに含むものでは、管理装置（３００）が各移動情報の送信元の遊技装置（１００ｓ）を容易に認識でき、遊技禁止の解除指令を移動元の遊技装置（１００ｓ）へ的確に送信することができる。
【００２８】
【発明の実施の形態】
以下、図面に基づき本発明の実施の形態を説明する。
図１は、本発明にかかる遊技場管理システム１０の構成を示している。遊技場管理システム１０は、遊技場内に設置された多数の遊技装置１００（図１では２台のみ図示）と、これらの遊技装置１００を統括して管理制御する管理装置３００とを有している。遊技装置１００と管理装置３００は、台コントローラ４００および島コントローラ５００を介したネットワークを通じて接続されている。管理装置３００には、ＬＡＮ（ローカル・エリア・ネットワーク）を介して複数の島コントローラ５００が接続され、各島コントローラ５００の配下に複数の台コントローラ４００が接続されている。台コントローラ４００は、遊技装置１００とネットワークを接続するための中継装置であり、台コントローラ４００毎に１台の遊技装置１００が接続される。
【００２９】
遊技装置１００は、パチンコ機など、遊技媒体を利用した遊技が行われる遊技機１０１と、この遊技機１０１で利用される遊技媒体を貸し出す遊技媒体貸機１０２と、この遊技機１０１で遊技者が獲得した遊技媒体の獲得数を遊技終了時に計数する遊技媒体計数器１０３を有している。本実施の形態では、遊技機１０１はパチンコ機である。遊技機１０１の下部手前には遊技媒体貸機１０２で計数される遊技媒体の投入口１０４があり、遊技媒体貸機１０２の下部には計数後の遊技媒体を貯留するための貯留タンク１０５が設けてある。貯留タンク１０５には遊技機１０１の下部から排出された使用済みの遊技媒体も貯留される。
【００３０】
遊技装置１００は、貯留タンク１０５に貯留されている遊技媒体を研磨して揚上し、上方から遊技機１０１もしくは遊技媒体貸機１０２へ再び遊技媒体を供給する遊技媒体研磨揚上装置１０６を有している。遊技装置１００は、遊技媒体を、１台の遊技装置１００の中で繰り返し使用する、いわゆる単体島を形成している。
【００３１】
図２は、遊技装置１００の概略回路構成を示している。遊技装置１００は、種々のデータ処理を行う手段としてのＣＰＵ（Ｃｅｎｔｒａｌ  Ｐｒｏｃｅｓｓｉｎｇ  Ｕｎｉｔ）１１０を有し、ＣＰＵ１１０には、主メモリーであるＲＯＭ（Ｒｅａｄ  Ｏｎｌｙ  Ｍｅｍｏｒｙ）１１１とＲＡＭ（Ｒａｎｄｏｍ  Ａｃｃｅｓｓ  Ｍｅｍｏｒｙ）１２０のほか各種制御部や記憶部等が接続されている。より詳細には、玉放出制御部１３０と、紙幣識別制御部１４０と、硬貨識別制御部１５０と、玉計数制御部１６０と、レシート発券制御部１７０と、獲得玉情報記憶部１８０と、移動台情報記憶部１９０と、表示手段２０１と、操作部２０２と、補給制御部２０３と、通信Ｉ／Ｆ２０４とが接続されている。
【００３２】
玉放出制御部１３０は、遊技媒体であるパチンコ玉の放出制御を行うものである。玉放出制御部１３０は、遊技媒体を遊技機１０１の上皿へ排出するための玉排出口１３１と、図示省略の貯留部に貯留されている遊技媒体の排出動作を実行する玉放出手段１３２と、排出される遊技媒体の数を計数する玉計数手段１３３を有している。
【００３３】
紙幣識別制御部１４０は、遊技媒体貸機１０２に投入される紙幣の真偽や種類を判別するものである。紙幣識別制御部１４０は、紙幣の投入および返却を行うための紙幣投排口１４１と、投入された紙幣の真偽や種類を判定する紙幣識別手段１４２を有している。
【００３４】
硬貨識別制御部１５０は、遊技媒体貸機１０２に投入される硬貨の真偽や種類を判別するものである。硬貨識別制御部１５０は、硬貨投入口１５１と、投入された硬貨の真偽や種類を判定する硬貨識別手段１５２と、硬貨返却口１５３を有している。
【００３５】
玉計数制御部１６０は、遊技媒体計数器１０３の一部を成し、投入口１０４に連通した玉投入口１６１と、ここへ投入された遊技媒体の数を計数する玉計数手段１６２を有している。
【００３６】
レシート発券制御部１７０は、遊技媒体計数器１０３で計数した獲得玉数や移動の際の暗証番号などを印刷したレシートを発券するものである。レシート発券制御部１７０は、レシート排出口１７１と、レシートに文字等を書き込むレシート書込手段１７２を有している。
【００３７】
獲得玉情報記憶部１８０は、遊技者が獲得したパチンコ玉にかかわる情報を記憶するものである。獲得玉情報記憶部１８０は、獲得玉数を記憶する獲得玉数情報記憶部１８１と、レシートにかかわる情報を記憶するレシート情報記憶部１８２を有している。
【００３８】
表示手段２０１は、液晶ディスプレイや小型のＣＲＴディスプレイで構成されている。表示手段２０１は、遊技媒体貸機１０２の正面に設けられ、投入金額など各種の情報を遊技者に提示する機能を果す。操作部２０２は、遊技媒体貸機１０２の正面に設けられた各種スイッチであり、遊技終了指示や移動要求の入力、暗証番号の入力等に利用される。補給制御部２０３は、遊技媒体研磨揚上装置１０６の動作を制御する機能を果す。通信Ｉ／Ｆ２０４は、台コントローラ４００とのインターフェイスを果すものである。
【００３９】
遊技装置１００のＣＰＵ１１０は、ＲＯＭ１１２に記憶されているシステムプログラム及びデータと、ＲＡＭ１２０にロードされたプログラム及びデータに従って動作する。ＲＡＭ１２０にロードされるプログラムおよびデータとしては、表示手段２０１への表示を制御する表示制御プログラム１２０Ａ、遊技者に遊技媒体（玉貸）を放出し、放出した遊技媒体（玉貸）の計数を管理する玉放出制御プログラム１２０Ｂ、遊技者が紙幣を投入し、紙幣の真偽を判定し真であれば紙幣を受け付け、偽であれば紙幣を返却する紙幣識別制御プログラム１２０Ｃ、遊技客が硬貨を投入し、硬貨の真偽を判定し、真であれば硬貨を受け付け、偽であれば硬貨を返却する硬貨識別制御プログラム１２０Ｄ、売上情報、断線情報を出力制御するための売上断線出力プログラム１２０Ｅがある。
【００４０】
さらにＲＡＭ１２０にロードされるプログラムおよびデータとしては、遊技媒体貸機１０２で計数した遊技媒体の数を表した獲得数情報を獲得玉数情報記憶部１８１に記憶する玉計数器制御プログラム１２０Ｆ、レシート情報の書き込み、レシートの排出、レシート情報および書き込んだ情報をレシート情報記憶部１８２に記憶させるレシート制御プログラム１２０Ｇ、遊技機１０１に遊技媒体を補給するための補給制御プログラム１２０Ｈ、遊技機１０１の動作を制御する遊技機制御プログラム１２０Ｉ、遊技者が他の遊技装置１００へ移動して遊技を楽しむことを可能にする台移動サービスに関連する各種の制御を行う移動台制御プログラム１２０Ｊがある。このほか、図示省略の通信制御プログラム等も備えている。
【００４１】
遊技装置１００は、移動台制御プログラム１２０Ｊを実行することにより、移動要求受付手段と、移動情報出力手段と、遊技禁止手段と、再開要求受付手段と、遊技再開手段としての機能を果す。このうち移動要求受付手段と移動情報出力手段と遊技禁止手段は、移動元の遊技装置１００ｓとしての機能であり、再開要求受付手段と遊技再開手段は、移動先の遊技装置１００ｄとしての機能である。
【００４２】
移動要求受付手段は、遊技媒体計数器１０３の計数した獲得数の遊技媒体を他の遊技装置で利用するための移動要求の入力と他の遊技装置で遊技者の同一性を確認するための確認情報の設定を遊技者から受け付けるものである。移動情報出力手段は、遊技媒体を他の遊技装置で利用可能にするための情報であって少なくとも獲得数と確認情報を含む移動情報を管理装置３００へ出力する機能を果す。遊技禁止手段は、移動元の遊技装置１００ｓでの遊技を所定の解除条件が満足されるまで禁止する機能を果す。
【００４３】
再開要求受付手段は、移動要求にかかわる遊技媒体を利用して遊技する旨を表した遊技再開要求の入力と遊技者の同一性を確認するための確認情報の入力を受け付けるものであり、再開要求出力手段は、再開要求受付手段の受け付けた確認情報を含む再開情報を管理装置３００へ出力するものである。
【００４４】
図３は、台コントローラ４００のブロック図である。台コントローラ４００には、種々のデータ処理を行う手段としてＣＰＵ４１０が設けられており、ＣＰＵ４１０には主メモリーであるＲＯＭ４２０、ＲＡＭ４３０ほか各種の記憶部４４０〜４７０およびＩ／Ｆ４８１〜４８４が接続されている。このうち玉貸出情報記憶部４４０は、遊技媒体の貸し出しにかかわる売上情報４４１や断線情報４４２を記憶する。獲得玉情報記憶部４５０は、獲得玉にかかわる獲得玉情報４５１やエラー情報４５２を記憶する。
【００４５】
遊技情報記憶部４６０は、遊技にかかわる各種情報を記憶するものである。記憶する情報には、遊技機１０１で行われる表示遊技での大当たり発生にかかわる特賞情報４６１、表示遊技のスタート回数を示すスタート情報４６２、出玉情報４６３、入玉情報４６４がある。移動台情報記憶部４７０は、台移動サービス機能にかかわる各種情報を記憶するものである。記憶する情報としては、移動台情報４７１や禁止台情報４７２がある。移動台情報４７１は、移動情報や再開情報等であり、禁止台情報４７２は、遊技の禁止および解除にかかわる情報である。
【００４６】
Ｉ／Ｆ４８１を介して接続された表示手段４９１は、エラー情報等を表示するものである。Ｉ／Ｆ４８２を介して接続された操作手段４９２は、エラー解除などの操作や各種設定を行うためのスイッチである。Ｉ／Ｆ４８３には遊技機１０１が接続され、通信Ｉ／Ｆ４８４にはホール管理端末機や単体島制御装置が接続されている。
【００４７】
ＲＡＭ４３０にロードされるプログラム及びデータとしては、表示制御プログラム４３０Ａ、操作制御プログラム４３０Ｂ、遊技機情報プログラム４３０Ｃ、売上断線情報プログラム４３０Ｄ、玉計数器情報プログラム４３０Ｅ等がある。表示制御プログラム４３０Ａは、表示手段４９１への表示を制御する機能を実現し、操作制御プログラム４３０Ｂは、操作手段４９２により操作された内容を実行する機能を実現し、遊技機情報プログラム４３０Ｃは、遊技機１０１に遊技媒体を補給する機能を実現するプログラムである。
【００４８】
また遊技機情報プログラム４３０Ｃは、遊技機１０１の各種情報を収集し、収集した遊技機情報を遊技情報記憶部４６０に記憶させる機能を実現するプログラムである。売上断線情報プログラム４３０Ｄは、遊技媒体貸機１０２の売上情報及び断線情報を収集し、収集した遊技媒体貸出装置情報を玉貸出情報記憶部４４０に記憶させる機能を実現するプログラムである。玉計数器情報プログラム４３０Ｅは、遊技媒体計数情報、エラー情報を収集し、獲得玉情報記憶部４５０に記憶させる機能を実現するプログラムである。
【００４９】
図４は、管理装置３００の概略回路構成を示すブロック図である。管理装置３００には、種々のデータ処理を行う情報処理手段としてＣＰＵ３１０が設けられており、ＣＰＵ３１０には主メモリであるＲＯＭ３２０、ＲＡＭ３３０、固定ディスク装置３４０および各種Ｉ／Ｆ３５１〜３５４が接続されている。Ｉ／Ｆ３５１を介して接続された表示手段３６１は、液晶ディスプレイやＣＲＴディスプレイで構成され、遊技場の管理者に向けて各種の情報を表示するものである。Ｉ／Ｆ３５２にはプリンタ３６２が接続されている。Ｉ／Ｆ３５３を介して接続された操作手段３６３は、キーボードや、マウスなどのポインティングデバイスからなる。通信Ｉ／Ｆ３５４には島コントローラ５００を介して台コントローラ４００が接続される。
【００５０】
ＣＰＵ３１０は、ＲＯＭ３２０に記憶されているシステムプログラム及びデータと、ＲＡＭ３３０にロードされたプログラム及びデータに従って動作する。ＲＡＭ３３０にロードされるプログラム及びデータとしては、表示制御処理プログラム３３０Ａ、遊技機制御処理プログラム３３０Ｂ、遊技機情報処理プログラム３３０Ｃ、売上断線処理プログラム３３０Ｄ、玉計数器処理プログラム３３０Ｅ、移動台処理プログラム３３０Ｆ等がある。
【００５１】
表示制御処理プログラム３３０Ａは、表示手段３６１への表示を制御する機能を実現し、遊技機制御処理プログラム３３０Ｂは、遊技機１０１へ遊技媒体を補給及び打止制御を行う機能を実現するプログラムである。遊技機情報処理プログラム３３０Ｃは、台コントローラ４００の遊技情報記憶部４６０に記憶されている遊技機情報を収集し、固定ディスク装置３４０内の遊技機情報データベース３４３に蓄積記録したり、蓄積記録した遊技機情報データベース３４３を一部消去したりする機能を実現するプログラムである。
【００５２】
売上断線処理プログラム３３０Ｄは、台コントローラ４００の玉貸出情報記憶部４４０に記憶されている売上情報、断線情報を収集し、固定ディスク装置３４０内の売上情報データベース３４１及び断線情報データベース３４２に蓄積記憶したり、蓄積記録した売上情報データベース３４１及び断線情報データベース３４２を一部消去したりする機能を実現する。
【００５３】
玉計数器処理プログラム３３０Ｅは、台コントローラ４００の獲得玉情報記憶部４５０に記憶されている情報を収集し固定ディスク装置３４０内の計数器情報データベース３４４に蓄積記憶したり、蓄積した計数器情報データベース３４４を一部消去したりする機能を実現するプログラムである。移動台処理プログラム３３０Ｆは、台コントローラ４００の移動台情報記憶部４７０に記憶されている移動台情報、禁止台情報を収集し、固定ディスク装置３４０内の移動台情報データベース３４５に蓄積記憶したり、蓄積記録した移動台情報データベース３４５を一部消去したりする機能を実現する。
【００５４】
管理装置３００は、移動台処理プログラム３３０Ｆを実行することにより、台移動サービスにかかわる記憶手段、照合手段、送信手段としての機能を果たす。記憶手段は、移動台情報データベース３４５等であり、移動元の遊技装置１００ｓから受信した移動情報を記憶する機能を果す。照合手段は、移動先の遊技装置１００ｄから受信した再開情報に含まれる確認情報と移動台情報データベース３４５に記憶されている移動情報に含まれる確認情報とを照合して遊技再開の可否を判定する。送信手段は、通信Ｉ／Ｆ３５４を介して、判定情報を移動先の遊技装置１００ｄに送信する機能を果す。判定情報は、先の判定結果を示すものであり、これが遊技再開の許可を示す場合には、照合された移動情報が示す獲得数をさらに含むものである。
【００５５】
次に作用を説明する。
図５は、移動元の遊技装置１００ｓにおいて、遊技者が移動要求を行う場合の処理の流れを示している。遊技者は、移動元の遊技装置１００ｓでの遊技を終了し、獲得玉を遊技媒体計数器１０３で計数する（ステップＳ６０１、Ｓ６０２）。ここで、当該遊技装置１００ｓで獲得した遊技媒体を用いて、他の遊技装置１００ｄで遊技を行うことを希望する場合には、移動先の遊技装置１００ｄで遊技者の同一性を確認するための確認情報の設定を受け付けた後（ステップＳ６０３）、図示省略の遊技中断ボタンの操作により（ステップＳ６０４）、移動要求を受け付ける。ここでは、確認情報として暗証番号の入力が求められる。
【００５６】
移動要求の受付を完了すると、移動元の遊技装置１００ｓは、管理装置３００に向けて、確認情報と先に遊技媒体計数器１０３で計数した遊技媒体の獲得数と、確認情報（暗証番号）と、送信元の遊技装置１００ｓを一意に識別するための情報としての遊技台番号とを含む移動情報を、管理装置３００に送信する（ステップＳ６０５）。
【００５７】
移動情報を受信した管理装置３００は、暗証番号チェック処理を行う（ステップＳ６０６）。暗証番号チェック処理は図６に示すように、移動元の遊技装置１００ｓから受信（ステップＳ７０１）した移動情報に含まれる暗証番号が既に記憶されているものと重複するか否かを調べる（ステップＳ７０２）。未使用であれば（ステップＳ７０２；Ｙ）、遊技禁止指示と暗証番号のチェックＯＫである旨を表した暗証番号確認信号を移動元の遊技装置１００ｓに向けて送信する（ステップＳ７０３）。
【００５８】
また今回受信した移動情報（遊技台番号、獲得数、暗証番号）を移動台情報データベース３４５に記憶する（ステップＳ７０４）。暗証番号が既に移動台情報データベース３４５に記憶されているものと重複し、未使用のものでない場合には（ステップＳ７０２；Ｎ）、エラー情報を移動元の遊技装置１００ｓに送信する。これを受けた移動元の遊技装置１００ｓは、暗証番号の再入力を遊技者に求める（ステップＳ６０３）。
【００５９】
移動元の遊技装置１００ｓは、管理装置３００から暗証番号確認信号を受信すると（ステップＳ６０７）、自装置を、遊技者が遊技することのできない遊技禁止状態に設定する（ステップＳ６０８）。遊技禁止状態では、遊技媒体貸機１０２による遊技媒体の貸出禁止、遊技媒体計数器１０３による計数禁止、遊技機１０１における遊技媒体の打出禁止（ハンドルストップ状態）になる。その後、移動元の遊技装置１００ｓは、暗証番号の記録されたレシートを発券する（ステップＳ６０９）。遊技者は、このレシートを持って、移動先の遊技装置１００ｄを探す。
【００６０】
図７から図９は、移動先の遊技装置１００ｄで遊技を再開する場合の処理の流れを示している。遊技者は、希望の遊技装置を見つけると、先のレシートに記録されている暗証番号を移動先の遊技装置１００ｄに入力し（ステップＳ８０１）、遊技台移動ボタンを操作する（ステップＳ８０２）。これにより、遊技再開要求の入力と遊技者の同一性を確認するための確認情報（暗証番号）の入力の受付が完了する。移動先の遊技装置１００ｄは、受け付けた確認情報（暗証番号）を含む再開情報を管理装置３００に送信する（ステップＳ８０３）。ここでは、再開情報は、暗証番号と移動先の遊技装置１００ｄの遊技台番号を含んでいる。
【００６１】
再開情報を送信すると、管理装置３００では、遊技台移動処理（ステップＳ８０４）が行われる。すなわち図９に示すように、管理装置３００では、移動先の遊技装置１００ｄから再開情報を受信し（ステップＳ９０１）、受信した再開情報に含まれている暗証番号で移動台情報データベース３４５を検索し、同一の暗証番号が記憶されているか否かをチェックする（ステップＳ９０２）。一致する暗証番号が記憶されている場合には（ステップＳ９０２；Ｙ）、当該暗証番号の属する移動情報に含まれている獲得数を、先の再開情報の送信元の遊技装置１００ｄに返送する（ステップＳ９０３）。一致する暗証番号が記憶されていない場合は（ステップＳ９０２；Ｎ）、エラー情報を移動先の遊技装置１００ｄに返送する。移動先の遊技装置１００ｄでは、エラーを受信すると、その旨を遊技者に通知した後、初期状態に戻る（ステップＳ８０１へ戻る）。
【００６２】
移動先の遊技装置１００ｄは、管理装置３００から獲得数を含む信号を受信すると（ステップＳ８０５）、当該獲得数の示す数の遊技媒体を利用可能にして遊技を開始することのできる遊技可能状態になる（ステップＳ８０６）。遊技可能状態では、遊技媒体貸機１０２による遊技媒体の貸出が可能になり、遊技媒体計数器１０３での計数が可能となり、遊技機１０１での遊技が可能（ハンドルストップ状態の解除）になる。
【００６３】
移動先の遊技装置１００ｄは、遊技可能となったことを示す信号を管理装置３００に送信する（ステップＳ８０７）。管理装置３００はこの信号を受信すると（ステップＳ８０８）、獲得数の遊技媒体が適切に移動されたことを示す移動確認履歴を記憶するとともに（ステップＳ８０９）、移動確認のとれた移動情報を移動台情報データベース３４５から消去する（ステップＳ８１０）。
【００６４】
さらに管理装置３００は、この消去した移動情報の送信元である移動元の遊技装置１００ｓに遊技禁止解除信号を送信し（ステップＳ８１１）、これを受信した移動元の遊技装置１００ｓは（ステップＳ８１２）、自装置でも記憶していた当該移動情報を消去する（ステップＳ８１３）。そして移動元の遊技装置１００ｓは、遊技禁止の状態を解除する（ステップＳ８１４）。なお、移動元の遊技装置１００ｓにおいて、自身の送出した移動情報を記憶していることにより、遊技者が適当な移動先が見当たらずに戻ってきた場合に、管理装置３００を介することなく自装置自身で、移動要求を行った遊技者と同一人であることを暗証番号によって確認して、その者の遊技再開を可能にしている。
【００６５】
以上、本発明の実施の形態を図面によって説明してきたが、具体的な構成はこれら実施の形態に限られるものではなく、本発明の要旨を逸脱しない範囲における変更や追加があっても本発明に含まれる。例えば、実施の形態では、遊技装置と管理装置とを含む遊技場管理システムとして構成したが、管理装置を介さずに遊技装置間で台移動サービスにかかわる情報をやりとりするように構成してもよい。
【００６６】
より詳細には、移動元の遊技装置においては、記録媒体に、移動情報を記録媒体に記録して出力して遊技禁止の状態を形成する。移動先の遊技装置に記録媒体を挿入すると、記録媒体に記録されている獲得数に相当する遊技媒体を移動先の遊技装置で利用可能にする。また移動先の遊技装置は、記録媒体に記録されている遊技台番号が示す移動元の遊技装置に遊技禁止解除の信号を送出する。
【００６７】
また実施の形態では、遊技者の同一性を確認するための確認情報として暗証番号を用いたが、本人確認できるものであれば、これに限定されない。また会員カードの挿入により本人確認を行うように構成してもよい。すなわち、移動元の遊技装置は、会員カードから読み取った会員番号を確認情報として移動情報に含めて管理装置へ送信し、移動先の遊技装置では、挿入された会員カードから読み取った会員番号を確認情報として再開情報に含めて管理装置に送信する。管理装置はこれらの会員番号を照合して遊技者の同一性をチェックする等である。
【００６８】
実施の形態では、管理装置からの遊技禁止解除信号により、移動先の遊技装置で遊技媒体が利用可能となった時点で移動元の遊技装置における遊技禁止状態を解除するように構成したが、解除条件はこれに限定されるものではない。たとえば、禁止状態に入ってから一定時間の経過をもって禁止を解除してもよい。また移動元の遊技装置では、遊技禁止状態にあることを、液晶ディスプレイ等に案内表示するとよい。移動元の遊技装置に戻って遊技する場合には、移動元の遊技装置が移動先の遊技装置としても動作するようになっている。
【００６９】
このほか、実施の形態では、本発明をパチンコ機について説明したが、遊技媒体を用いて遊技を行う遊技機であれば、スロットマシン、スマートボールゲーム機、アレンジボールゲーム機といった遊技機にも同様に本発明を適用することができる。このような各場合においても、前記実施の形態と同様な効果を奏することができる。
【００７０】
【発明の効果】
本発明に係る遊技装置およびこれを含む遊技場管理システムによれば、移動元の遊技装置で獲得した遊技媒体を他の遊技装置で利用する旨の移動要求を遊技者から受け付けたとき、移動元の遊技装置を所定の解除条件が成立するまで遊技禁止状態にするので、適当な移動先の遊技装置が見つからなかった場合にも、先の解除条件が成立する前であれば元の遊技装置に戻り得ることが保証され、遊技者は安心して移動を試みることができる。
【００７１】
同一の遊技者が遊技媒体を移動先の遊技装置で利用可能になったとき、移動元の遊技装置の遊技禁止状態を解除するものでは、適当な移動先が見つからない間はいつでも元の遊技装置へ戻ることが保証される。また利用可能となった時点で禁止が解除されるので、無駄に禁止状態が継続することを防止することができる。
【００７２】
移動元からの移動情報や移動先からの再開情報を管理装置に集約し、確認情報の照合や遊技再開許可の送出を管理装置が一括して行う遊技場管理システムでは、多数の遊技装置を効率よく管理して台移動にかかわるサービスを提供することができる。また管理装置を通じて移動にかかわる情報を管理するので、移動にかかわる情報を記録媒体に記録して遊技者に渡す必要がなく、運用費用を少なく抑えることが可能になる。
【００７３】
移動元の遊技装置が、確認情報の重複有無を管理装置に問い合わせるものでは、遊技媒体が誤って他の遊技者に付与されることを防止することができ、移動にかかわる安全性を高めることができる。
【００７４】
移動情報が、移動元の遊技装置を一意に特定するための遊技装置特定情報をさらに含むものでは、管理装置が各移動情報の送信元の遊技装置を容易に認識でき、遊技禁止の解除指令を移動元の遊技装置へ的確に送信することができる。
【図面の簡単な説明】
【図１】本発明の実施の形態に係る遊技場管理システムの概略構成を示すシステム構成図である。
【図２】本発明の実施の形態に係る遊技場管理システムに含まれる遊技装置の概略回路構成を示すブロック図である。
【図３】本発明の実施の形態に係る遊技場管理システムに含まれる台コントローラの概略回路構成を示すブロック図である。
【図４】本発明の実施の形態に係る遊技場管理システムに含まれる管理装置の概略回路構成を示すブロック図である。
【図５】本発明の実施の形態に係る遊技場管理システムにおいて移動要求を行う際の処理を示す流れ図である。
【図６】本発明の実施の形態に係る遊技場管理システムに含まれる管理装置が行う暗証番号チェック処理を示す流れ図である。
【図７】本発明の実施の形態に係る遊技場管理システムにおいて再開要求を行う際の処理を示す流れ図である。
【図８】図７の続きを示す流れ図である。
【図９】本発明の実施の形態に係る遊技場管理システムに含まれる管理装置が行う遊技台移動処理を示す流れ図である。
【符号の説明】
１０…遊技場管理システム
１００…遊技装置
１００ｄ…移動先の遊技装置
１００ｓ…移動元の遊技装置
１０１…遊技機
１０２…遊技媒体貸機
１０３…遊技媒体計数器
１０４…投入口
１０５…貯留タンク
１０６…遊技媒体研磨揚上装置
１１０…ＣＰＵ
１１２…ＲＯＭ
１２０…ＲＡＭ
１２０Ａ…表示制御プログラム
１２０Ｂ…玉放出制御プログラム
１２０Ｃ…紙幣識別制御プログラム
１２０Ｄ…硬貨識別制御プログラム
１２０Ｅ…売上断線出力プログラム
１２０Ｆ…玉計数器制御プログラム
１２０Ｇ…レシート制御プログラム
１２０Ｈ…補給制御プログラム
１２０Ｉ…遊技制御プログラム
１２０Ｊ…移動台制御プログラム
１３０…玉放出制御部
１３１…玉排出口
１３２…玉放出手段
１３３…玉計数手段
１４０…紙幣識別制御部
１４１…紙幣投排口
１４２…紙幣識別手段
１５０…硬貨識別制御部
１５１…硬貨投入口
１５２…硬貨識別手段
１５３…硬貨返却口
１６０…玉計数制御部
１６１…玉投入口
１６２…玉計数手段
１７０…レシート発券制御部
１７１…レシート排出口
１７２…レシート書込手段
１８０…獲得玉情報記憶部
１８１…獲得玉数情報記憶部
１８２…レシート情報記憶部
１９０…移動台情報記憶部
２０１…表示手段
２０２…操作部
２０３…補給制御部
２０４…通信Ｉ／Ｆ
３００…管理装置
３１０…ＣＰＵ
３２０…ＲＯＭ
３３０…ＲＡＭ
３３０Ａ…表示制御処理プログラム
３３０Ｂ…遊技機制御処理プログラム
３３０Ｃ…遊技機情報処理プログラム
３３０Ｄ…売上断線処理プログラム
３３０Ｅ…玉計数器処理プログラム
３３０Ｆ…移動台処理プログラム
３４０…固定ディスク装置
３４１…売上情報データベース
３４２…断線情報データベース
３４３…遊技機情報データベース
３４４…計数器情報データベース
３４５…移動台情報データベース
３５１〜３５３…Ｉ／Ｆ
３５４…通信Ｉ／Ｆ
３６１…表示手段
３６２…プリンタ
３６３…操作手段
４００…台コントローラ
４１０…ＣＰＵ
４２０…ＲＯＭ
４３０…ＲＡＭ
４３０Ａ…表示制御プログラム
４３０Ｂ…操作制御プログラム
４３０Ｃ…遊技機情報プログラム
４３０Ｄ…売上断線情報プログラム
４３０Ｅ…玉計数器情報プログラム
４４０…玉貸出情報記憶部
４４１…売上情報
４４２…断線情報
４５０…獲得玉情報記憶部
４５１…獲得玉情報
４５２…エラー情報
４６０…遊技情報記憶部
４６１…特賞情報
４６２…スタート情報
４６３…出玉情報
４６４…入玉情報
４７０…移動台情報記憶部
４７１…移動台情報
４７２…禁止台情報
４８１〜４８３…Ｉ／Ｆ
４８４…通信Ｉ／Ｆ
４９１…表示手段
４９２…操作手段
５００…島コントローラ
【図１】
2004248787.tif 000003
【図２】
2004248787.tif 000004
【図３】
2004248787.tif 000005
【図４】
2004248787.tif 000006
【図５】
2004248787.tif 000007
【図６】
2004248787.tif 000008
【図７】
2004248787.tif 000009
【図８】
2004248787.tif 000010
【図９】
2004248787.tif 000011